(57)【特許請求の範囲】
【請求項１】
撮像によって得られた画像データを出力する撮像手段と、
前記撮像手段から出力される画像データを順次記憶手段に記憶する電子機器と、
前記電子機器に接続可能であるとともに前記記憶手段から読み出される画像データを記憶する記憶媒体と、を有する画像記録システムであって、
前記記憶手段に記憶されている複数の画像データの各々には、撮像された日時に関する情報を示す撮像日時情報が付与されており、
前記記憶媒体は、前記記憶手段から読み出す画像データを選択するための指定日時情報を記憶しており、
前記電子機器は、
前記記憶媒体が接続されると、接続された前記記憶媒体に記憶されている指定日時情報を読み込み、
読み込んだ指定日時情報に対応する画像データを前記撮像日時情報に基づいて選択し、選択した画像データを前記記憶媒体に記憶し、
選択した画像データを前記記憶媒体に記憶している際に、接続された前記記憶媒体の残りの記憶容量が不足していることを認識すると、当該記憶媒体への記憶を中断し、当該記憶媒体が取り外された後、新たに記憶媒体が接続されると、前記指定日時情報の読み込みを行うことなく、前記記憶媒体への記憶を中断した画像データから、当該新たに接続された記憶媒体への記憶を再開する、
ことを特徴とする画像記録システム。
【請求項２】
撮像によって得られた画像データを出力する撮像手段と、
前記撮像手段から出力される画像データを順次記憶手段に記憶する電子機器と、
前記電子機器に接続可能であるとともに前記記憶手段から読み出される画像データを記憶する記憶媒体と、を有する画像記録システムであって、
前記記憶手段に記憶されている複数の画像データの各々には、撮像された日時に関する情報を示す撮像日時情報が付与されており、
前記記憶媒体は、前記記憶手段から読み出す画像データを選択するための指定日時情報を記憶しており、
前記電子機器は、
前記記憶媒体が接続されると、接続された前記記憶媒体に記憶されている指定日時情報を読み込み、
読み込んだ指定日時情報に対応する画像データを前記撮像日時情報に基づいて選択し、選択した画像データを前記記憶媒体に記憶し、
前記指定日時情報として、選択する期間の一部を示す選択日時情報を設定し、
前記電子機器は、
選択した画像データを前記記憶媒体に記憶する際に、読み込んだ選択日時情報に対して第１所定時間遡った日時から、前記選択日時情報に対して第２所定時間経過後の日時までの期間に対応する画像データを選択して前記記憶媒体に記憶する、
ことを特徴とする画像記録システム。
【発明の詳細な説明】
【技術分野】
【０００１】
本発明は、画像記録システムに関する。
【背景技術】
【０００２】
従来より、種々の店舗や種々の設備等にて、所定エリアを撮像して撮像した画像データを記憶手段に記憶する画像記録装置を用いた監視が行われている。
例えば、ある事件が発生すると、警察等から事件現場の周辺の店舗等に、画像記録装置に記録されている画像データの中から指定した日及び時間帯の画像データの提出を求められる場合がある。画像データの提出を求められた場合、当該店舗等の画像記録装置を設置した監視サービス企業の担当者等が、携帯可能な小型の記憶媒体とモニタとを持参して、画像記録装置にモニタと記憶媒体とを接続し、提出すべき画像データを選択して記憶媒体に記憶する。
通常、上記のような監視に用いる画像記録装置は、記憶された画像データを表示可能な表示装置を備えていないものが多い。従って、担当者等は、指定された日及び時間帯の画像データを記憶媒体に記憶（転送）する際、記憶する画像データが指定された日及び時間帯の画像データであること等を確認するために、モニタを持参して接続している。
そして担当者等は、画像記録装置を操作して指定された日及び時間帯の画像データを選択して、更に選択した画像データをモニタにて確認して記憶媒体に記憶し、指定された日及び時間帯の画像データが記憶された記憶媒体を提出している。
【０００３】
ここで、電子機器に記憶媒体を接続して、電子機器が記憶している画像データを、記憶媒体に記憶（転送）する例として、特許文献１に記載された従来技術では、外部記憶装置（記憶媒体に相当）に画像データを転送する通信手段を備えた電子機器において、転送を指示する転送指示操作部と、転送が終了したことを示すマークを表示する表示手段とを備えた電子機器が提案されている。これにより、利用者は転送が終了したことを容易に認識することが可能であり、電子機器の電源をオフにするタイミングが容易に判り、バッテリの無駄な消費電力を防止することができる。
【特許文献１】特開２００２−３２０１１７号公報
【発明の開示】
【発明が解決しようとする課題】
【０００４】
上記した従来の画像記録装置では、指定された日及び時間帯の画像データを記憶媒体に記憶するために、記憶媒体の他にもモニタを持参しなければならない。また、記憶媒体に記憶する際、画像記録装置を操作して指定された日及び時間帯の画像データを選択しなければならず、非常に手間がかかる。また、担当者等の操作によって画像データを選択するため、選択忘れ等が発生する可能性もある。
また、特許文献１に記載した従来技術では、転送の終了を容易に確認することができるが、転送する画像データは、利用者が選択しなければならない。例えば電子カメラに記憶された画像データの中から○月△日の旅行の画像データを取り出したい場合等では、利用者が画像データを１つずつ選択して記憶媒体に転送しなければならないため、非常に手間がかかる。また、上記と同様に、利用者等の操作によって画像データを選択するため、選択忘れ等が発生する可能性もある。
【０００５】
本発明は、このような点に鑑みて創案されたものであり、複数の画像データが記憶手段に記憶されている電子機器に記憶媒体を接続し、記憶手段に記憶されている画像データの中から特定の画像データを選択して記憶媒体に記憶する作業を、より容易に且つ選択忘れ等なく確実に行うことが可能な画像記録システムを提供することを課題とする。
【課題を解決するための手段】
【０００６】
上記課題を解決するための手段として、本発明の第１発明は、請求項１に記載されたとおりの画像記録システムである。
請求項１に記載の画像記録システムは、撮像によって得られた画像データを出力する撮像手段と、前記撮像手段から出力される画像データを順次記憶手段に記憶する電子機器と、前記電子機器に接続可能であるとともに前記記憶手段から読み出される画像データを記憶する記憶媒体と、を有する画像記録システムである。
前記記憶手段に記憶されている複数の画像データの各々には、撮像された日時に関する情報を示す撮像日時情報が付与されている。
また、前記記憶媒体は、前記記憶手段から読み出す画像データを選択するための指定日時情報を記憶している。
そして、前記電子機器は、前記記憶媒体が接続されると、接続された前記記憶媒体に記憶されている指定日時情報を読み込み、読み込んだ指定日時情報に対応する画像データを前記撮像日時情報に基づいて選択し、選択した画像データを前記記憶媒体に記憶し、選択した画像データを前記記憶媒体に記憶している際に、接続された前記記憶媒体の残りの記憶容量が不足していることを認識すると、当該記憶媒体への記憶を中断し、当該記憶媒体が取り外された後、新たに記憶媒体が接続されると、前記指定日時情報の読み込みを行うことなく、前記記憶媒体への記憶を中断した画像データから、当該新たに接続された記憶媒体への記憶を再開する。
【０００７】
また、本実施の形態に記載の画像記録システムでは、前記電子機器は、選択した画像データを前記記憶媒体に記憶している際に、接続された前記記憶媒体の残りの記憶容量が不足していることを認識すると、当該記憶媒体への記憶を中断し、当該記憶媒体が取り外された後、新たに記憶媒体が接続されると、前記指定日時情報の読み込みを行うことなく、前記記憶媒体への記憶を中断した画像データから、当該新たに接続された記憶媒体への記憶を再開する。
【０００８】
また、本実施の形態に記載の画像記録システムでは、前記指定日時情報は、所定の文字列を含むファイル名称のファイルに記憶されており、前記電子機器は、前記記憶媒体が接続されると、接続された前記記憶媒体から前記所定の文字列を含むファイルを選択して読み込み、当該ファイルから前記指定日時情報を認識する。
【０００９】
また、本実施の形態に記載の画像記録システムでは、前記指定日時情報として、選択する期間の先頭を示す選択開始日時情報と、選択する期間の最後を示す選択最終日時情報とを設定し、前記電子機器は、読み込んだ選択開始日時情報から選択最終日時情報までの期間に対応する画像データを選択して前記記憶媒体に記憶する。
【００１０】
また、本発明の第２発明は、請求項２に記載されたとおりの画像記録システムである。
請求項２に記載の画像記録システムは、撮像によって得られた画像データを出力する撮像手段と、前記撮像手段から出力される画像データを順次記憶手段に記憶する電子機器と、前記電子機器に接続可能であるとともに前記記憶手段から読み出される画像データを記憶する記憶媒体と、を有する画像記録システムである。
前記記憶手段に記憶されている複数の画像データの各々には、撮像された日時に関する情報を示す撮像日時情報が付与されている。
また、前記記憶媒体は、前記記憶手段から読み出す画像データを選択するための指定日時情報を記憶している。
そして、前記電子機器は、前記記憶媒体が接続されると、接続された前記記憶媒体に記憶されている指定日時情報を読み込み、読み込んだ指定日時情報に対応する画像データを前記撮像日時情報に基づいて選択し、選択した画像データを前記記憶媒体に記憶する。
また、前記指定日時情報として、選択する期間の一部を示す選択日時情報を設定し、前記電子機器は、選択した画像データを前記記憶媒体に記憶する際に、読み込んだ選択日時情報に対して第１所定時間遡った日時から、前記選択日時情報に対して第２所定時間経過後の日時までの期間に対応する画像データを選択して前記記憶媒体に記憶する。
【発明の効果】
【００１１】
請求項１に記載の画像記録システムを用いれば、予め記憶媒体に指定日時情報を記憶させておけば、複数の画像データが記憶手段に記憶された電子機器に記憶媒体を接続するだけで、指定日時情報に対応する画像データを、電子機器が記憶手段から自動的に選択して記憶媒体に記憶（転送）する。
これにより、記憶手段に記憶されている画像データの中から特定の画像データを選択して記憶媒体に記憶する作業を、より容易に且つ選択忘れ等なく確実に行うことができる。しかもモニタで画像データを確認する必要もないため、モニタを備えていない電子機器であっても、特にモニタを必要としない。
また、電子機器の操作も不要であるため、電子機器の操作に不慣れな者であっても、容易に且つ選択忘れ等なく確実に、指定日時情報に対応する画像データを記憶媒体に記憶させることができる。
【００１２】
また、請求項１に記載の画像記録システムによれば、接続した記憶媒体に画像データを記憶する際、記憶媒体の残りの記憶容量が容量不足にて記憶しきれない場合、記憶媒体を一旦取り外し、当該記憶媒体から他の記憶装置に画像データを移動させて当該記憶媒体の残りの記憶容量を大きくした後、再度電子機器に記憶媒体を接続してもよいし、記憶媒体を一旦取り外して他の記憶媒体を電子機器に接続してもよい。
一旦記憶媒体を取り外した後に接続する記憶媒体には指定日時情報を記憶させておく必要はなく、便利である。
【００１３】
また、本実施の形態に記載の画像記録システムによれば、電子機器に指定日時情報を適切に読み込ませることが容易である。
【００１４】
また、本実施の形態に記載の画像記録システムによれば、選択すべき画像データの日時に関する情報の指定において、先頭と最後の双方を指定する。これにより、選択すべき画像データの日時に関する情報を、容易に設定することができるので便利である。
【００１５】
また、請求項２に記載の画像記録システムでは、選択すべき画像データの日時に関する情報の指定において、指定日時情報に、先頭と最後の２つを設定する必要がなく、１つを設定するのみでよく、指定日時情報の設定がより簡単である。なお、第１所定時間と第２所定時間は、一方がゼロであってもよい。
【発明を実施するための最良の形態】
【００１６】
以下に本発明を実施するための最良の形態を図面を用いて説明する。
図１は、本発明の画像記録システムを適用した監視システムの一実施の形態の概略外観図の例を示している。また、図２は、図１に示す監視システムのブロック構成図を示しており、特に電子機器１０の内部構成の例を示している。なお、図２は、撮像手段がＡ〜Ｄの４台の場合の例を示している。
【００１７】
●［画像記録システムの外観と内部構成（図１、図２）］
図１の例に示すように、本発明の画像記録システムは、撮像によって得られた画像データを電子機器１０に出力する撮像手段Ａ〜Ｎと、撮像手段Ａ〜Ｎから出力される画像データを順次記憶手段２５（図２参照）に記憶する電子機器１０と、当該電子機器１０に接続可能な記憶媒体８０にて構成される。
なお、図１及び図２に示す例は、当該画像記録システムを、店舗等の監視システムに適用した例を示しており、撮像手段Ａ〜Ｎは１台以上の任意の台数であり、各々が任意の位置に設けられている。
電子機器１０は、各種の設定（撮像手段の台数や撮影時間間隔等）や、記録されている画像データの転送等を指示するための入力手段１２、動作状態を利用者に表示する表示手段１４、撮像手段Ａ〜Ｎや外付モニタ９０等を接続する端子（図示省略）、記憶媒体８０の接続端子８２を接続可能な端子１６等を備えている。なお、外付モニタ９０は、特に接続しなくてもよい。
また、本発明の画像記録システムにおける電子機器１０は、このような監視システムに限定されず、例えば電子カメラ等、複数の画像データを記憶している電子機器であればよい（例えば、撮像手段と電子機器は一体型であってもよい）。
【００１８】
撮像手段Ａ（例えば、ＣＣＤカメラ）は、所定のタイミングで撮像し、得られた画像データ（Ａ１、Ａ２等）をケーブルＣＡを介して電子機器１０（以下、画像記録装置１０と記載する）に出力する。撮像のタイミングは、画像記録装置１０から出力される同期信号をケーブルＳｙＡから入力して当該同期信号にて撮像するようにしてもよいし、撮像手段Ａの内蔵するタイマを用いて所定時間間隔で行ってもよい（この場合はケーブルＳｙＡを省略できる）。以下、撮像手段Ｂ〜Ｎも同様である。
画像記録装置１０は、例えば内部に記憶手段２５（図２参照）を備えており、撮像手段Ａ〜Ｎから出力される画像データを順次記憶手段２５に記憶する。記憶手段２５に記憶された画像データの各々には、撮像された日時に関する情報を示す撮像日時情報と、撮像した撮像手段を示す撮像手段識別情報とが付与されている（図３参照）。なお、撮像手段が１台の場合は撮像手段識別情報の付与を省略してもよい。また、撮像日時情報と撮像手段識別情報は、各撮像手段が付与してもよいし、画像記録装置１０が付与してもよい。また、記憶手段２５は、画像記録装置１０と別体で構成してもよい。
【００１９】
次に図２を用いて画像記録装置１０の内部構成等について説明する。なお、図２では各種のインターフェース回路等を省略している。
画像記録装置１０では、ＣＰＵ２０（制御手段）にて種々の処理が行われる。
撮像手段Ａ〜Ｄに対して出力する同期信号は、利用者から設定された各々の時間間隔と、タイマ２２の値に基づいて各撮像手段Ａ〜Ｄに出力される。各撮像手段Ａ〜Ｄから入力される画像データ（Ａ１、Ｂ１・・）はスイッチャ１８（切替手段）と制御バスＢＵを介してメモリ２３に伝送され、記憶手段２５に記憶される。
記憶手段２５は、例えばＨＤＤ（Hard  Disk  Drive）であり、撮像手段Ａ〜Ｄが撮像した数日分〜数十日分の画像データを記憶可能な記憶容量を有している。
ＣＰＵ２０は、制御ＲＯＭ２１に記憶されているプログラムに基づいて処理を行う。また、ＣＰＵ２０には入力手段１２からの指示が入力され、入力に応じた処理を行い、処理に応じた動作状態を、表示手段１４に出力して表示する。
外付モニタ９０が接続された場合、モニタ制御手段１７ｃから出力される信号に基づいて、外付モニタ９０は画像データ等を表示する（外付モニタ９０は、特に接続しなくてもよい）。
【００２０】
記憶媒体８０には、記憶手段２５から読み出す画像データを選択するための指定日時情報が予め記憶されている。
また、端子１６に記憶媒体８０の接続端子８２が接続された場合、ＣＰＵ２０は、記憶媒体８０の記憶部８４に記憶されているデータ（指定日時情報に相当）を、端子１６と通信手段１６ｃと制御バスＢＵを介して読み込むことが可能であり、読み込んだデータと撮像日時情報とに基づいて記憶手段２５に記憶されている画像データの中から特定の画像データを選択して、メモリ２４と制御バスＢＵと通信手段１６ｃと端子１６を介して書き出す（記憶する）ことが可能である。ＣＰＵ２０は、撮像手段からの画像データを記憶手段２５に記憶する処理を行いながら、記憶手段２５から画像データを選択して記憶媒体８０に記憶することが可能である。
記憶媒体８０は、例えばＵＳＢメモリであり、この場合、端子１６はＵＳＢコネクタである。なお、記憶媒体８０は上記のＵＳＢメモリに限定されず、種々の記憶媒体を用いることが可能である。例えば記憶媒体８０に、ＵＳＢ接続用のポータブルＨＤＤやＳＤカードやＣＦカードやスマートメディア等を用いることも可能である。この場合、端子１６を各記憶媒体に直接接続可能な専用コネクタとしてもよいし、端子１６を（汎用）ＵＳＢコネクタにして、端子変換アダプタを介して各記憶媒体を端子１６に接続するようにしてもよい。
【００２１】
●［画像データの構成（図３）］
記憶手段２５に記憶されている画像データＧＤは、図３（Ａ）に示すように、画像を表すデータ部ｄと、当該画像データＧＤを特定可能なヘッダ部ｈとで構成されている。ヘッダ部ｈは、前記したように、各撮像手段Ａ〜Ｎまたは画像記録装置１０によって付与される。
ヘッダ部ｈにおける「日時」には、当該画像データＧＤが撮像された日時に関する情報を示す撮像日時情報が記憶されている。
ヘッダ部ｈにおける「カメラＩＤ」には、撮像手段を特定可能な撮像手段識別情報が記憶されている。
例えば、図３（Ｂ）における画像データＧＤ［ｉ］は、２００６年５月１７日の１０時３０分２秒００に撮像された、撮像手段Ｃからの画像データであることを示している。
【００２２】
●［記憶媒体８０への画像データの転送（記憶）処理（図４）］
次に図４に示すフローチャートを用いて、画像記録装置１０に記憶媒体８０を接続した場合のＣＰＵ２０の処理について説明する。例えば本フローチャートの処理は、所定時間毎（１００ｍｓ毎等）に実行される。
ＣＰＵ２０は、ステップＳ１０にて、記憶媒体８０が接続されたか否かを判定する。記憶媒体８０が接続されていない場合（Ｎｏ）、処理を終了する。記憶媒体８０が接続された場合（Ｙｅｓ）、ステップＳ２０に進む。
ステップＳ２０では、記憶媒体８０に指定日時情報があるか否かを判定する。例えば、指定日時情報を、所定の文字列を含むファイル名称のファイルに記憶させておくと、便利である。例えば「shitei」という文字列を含むテキストファイル等に指定日時情報を記憶する。指定日時情報が無い場合（Ｎｏ）、ステップＳ２２に進み「指定日時情報が無い」旨を示す警告メッセージ１を表示手段１４に表示して処理を終了する。指定日時情報が有る場合（Ｙｅｓ）、ステップＳ３０に進む。なお、指定日時情報は、予めパーソナルコンピュータ等を用いて作成して記憶媒体８０に記憶しておく。
【００２３】
ステップＳ３０では、指定日時情報を含むファイルを読み出し、選択する画像データの対象期間を認識し、ステップＳ４０に進む。例えば、前記ファイルに含まれる指定日時情報として、選択する期間の先頭を示す選択開始日時情報と、選択する期間の最後を示す選択最終日時情報とを設定する。この場合、画像記録装置１０のＣＰＵ２０は、読み込んだ選択開始日時情報から選択最終日時情報までの期間が対象期間であると認識する。例えば選択開始日時情報と選択終了日時情報が「２００６、０５、１７、１０、００」と「２００６、０５、１７、１６、００」の場合、２００６年５月１７日の１０時００分から２００６年５月１７日の１６時００分までの撮像日時情報を有する画像データが選択対象となる。
【００２４】
また、例えば、前記ファイルに含まれる指定日時情報として、選択する期間の一部を示す選択日時情報を設定する。この場合、画像記録装置１０のＣＰＵ２０は、読み込んだ選択日時情報に対して第１所定時間遡った日時から選択日時情報に対して第２所定時間経過後の日時までの期間が対象期間であると認識する。例えば、第１所定時間が４時間、第２所定時間が２時間に設定されており、選択日時情報が「２００６、０５、１７、１４、００」の場合、２００６年５月１７日の１４時００分から４時間前の１０時００分から、２００６年５月１７日の１４時００分の２時間後の１６時００分までの期間が対象期間であると認識する。なお、第１所定時間と第２所定時間は、一方がゼロであってもよい。
【００２５】
ステップＳ４０では、ステップＳ３０にて認識した対象期間に対応する画像データを撮像日時情報に基づいて選択して記憶媒体８０に書き出し、ステップＳ５０に進む。
ステップＳ５０では、選択した画像データを記憶媒体８０に書き出す際、記憶媒体８０の残りの記憶容量が不足するか否かを判定する。残りの記憶容量が不足していると判定した場合（Ｙｅｓ）、ステップＳ６０に進む。残りの記憶容量が不足していないと判定した場合（Ｎｏ）、ステップＳ７０に進む。
【００２６】
ステップＳ６０に進んだ場合、書き出し中の画像データは途中までしか書き出せないため、書き出しを中断し、ステップＳ６２に進む。
ステップＳ６２では、中断したことと、残りの記憶容量が大きな記憶媒体への差し換えを促す「記憶容量が不足しているため中断しました。次の記憶媒体に差し換えて下さい」等の警告メッセージ２を表示手段１４に表示し、ステップＳ６４に進む。
ステップＳ６４では、残りの容量不足と判定された記憶媒体８０が一旦取り外された後、新たに記憶媒体が接続されたか否かを判定する。この場合、残りの容量不足と判定された記憶媒体８０を一旦取り外し、当該記憶媒体８０から他の記憶装置等に画像データを移動させて当該記憶媒体８０の残りの記憶容量を大きくした後、再度画像記録装置１０にこの記憶媒体８０を接続してもよいし（同じ記憶媒体８０であってもよい）、残りの容量不足と判定された記憶媒体８０を一旦取り外して他の記憶媒体を電子機器に接続してもよい（異なる記憶媒体であってもよい）。
新たに記憶媒体が接続された場合（Ｙｅｓ）、ステップＳ６６に進み、そうでない場合（Ｎｏ）、ステップＳ６２に戻る。
ステップＳ６６では、書き出しを中断した画像データの先頭から、新たに接続された記憶媒体への書き出しを行い、ステップＳ５０に戻る。
【００２７】
ステップＳ７０に進んだ場合、ステップＳ３０にて認識した対象期間に対応する画像データを全て記憶媒体８０に書き出したか否かを判定する。まだ対象期間に対応する画像データが残っている場合（Ｎ０）、ステップＳ４０に戻り、対象期間に対応する全ての画像データの書き出しが完了している場合（Ｙｅｓ）、ステップＳ８０に進む。
ステップＳ８０では「画像データの選択と書き出しが全て完了」の旨を示す処理完了メッセージを表示手段１４に表示し、処理を終了する。なお、ステップＳ８０にて、当該処理にて書き出した画像データの履歴と当該書き出しを行った日時とを書き出し履歴として記憶手段２５に残すようにしてもよい。
【００２８】
以上、本実施の形態にて説明した画像記録システムを用いれば、例えば、画像データの提出を求められた監視サービス企業の担当者は、パーソナルコンピュータ等を用いて指定日時情報を作成して記憶媒体８０に記憶する。そして当該担当者が、この記憶媒体８０を店舗等に持参して画像記録装置１０に接続するだけで、選択すべき画像データを自動的に記憶媒体８０に記憶することができるので便利である。また選択忘れ等も発生せず、外付モニタを持参する必要もない。
更に、記憶媒体８０を画像記録装置１０の端子１６に接続するのみでよいため、担当者は指定日時情報を記憶した記憶媒体８０を用意すれば、自身で店舗等に持参してもよいし、画像記録装置１０の操作に不慣れな派遣者に店舗等に行かせてもよい。画像記録装置１０の操作に不慣れな者であっても、容易に且つ確実に選択すべき画像データを記憶媒体８０に記憶させることができ、公共に役立つ画像記録システムを提供することができる。
【００２９】
本発明の画像記録システムは、本実施の形態で説明した外観、構成、処理等に限定されず、本発明の要旨を変更しない範囲で種々の変更、追加、削除が可能である。
また、本実施の形態の説明に用いた数値は一例であり、この数値に限定されるものではない。
【図面の簡単な説明】
【００３０】
【図１】本発明の画像記録システムを適用した監視システムの一実施の形態を説明する概略外観図である。
【図２】監視システムのブロック構成図の例を説明する図である。
【図３】画像データＧＤの構成の例を説明する図である。
【図４】記憶媒体８０を接続した場合における、画像記録装置１０の動作（処理）を説明するフローチャートの例を説明する図である。
【符号の説明】
【００３１】
１０      電子機器（画像記録装置）
１２      入力手段
１４      表示手段
１６      端子
１８      スイッチャ（切替手段）
２０      ＣＰＵ
２３、２４    メモリ
２５      記憶手段
８０      記憶媒体
９０      外付モニタ
Ａ〜Ｎ    撮像手段
ＣＡ〜ＣＮ    ケーブル
ＳｙＡ〜ＳｙＮ    ケーブル
【図１】
0004689538.tif 000002
【図２】
0004689538.tif 000003
【図３】
0004689538.tif 000004
【図４】
0004689538.tif 000005